(57)【要約】【課題】  一つの画像生成手段でカラー画像とモノクロ画像生成が可能な画像読取り装置、その制御方法、制御プログラム及び記憶媒体を提供すること。【解決手段】  カラーの画像データと、モノクロの画像データを生成することによって、処理系統を一つにすることでコストダウンすること。【選択図】  図１
2007110523.tif 000002
【特許請求の範囲】
【請求項１】
CIS方式のイメージセンサを持つ画像読取り装置において、前記画像読取り装置からカラー読取り時はRGB3色、モノクロ読取り時はRGB3:6:1の点灯時間に設定し、グレー1色で読取る画像読取り手段を有することを特徴とする画像読取り装置。
【請求項２】
前記画像読取り手段によって、読取った原稿の画像データを蓄積するための蓄積手段を有することを特徴とする請求項１に記載の画像読取り装置。
【請求項３】
前記蓄積手段によって、画像データを蓄積する際、カラー読取り、モノクロ読取り共にRGB3色のデータで保存することを特徴とする請求項１乃至２に記載の画像読取り装置。
【請求項４】
前記蓄積手段によって、画像データを蓄積する際、モノクロの画像生成時は、前記イメージセンサ1色で読取ったデータを、RGB3色の各画素に同一のデータを入力することを特徴とする請求項１乃至３のいずれかに記載の画像読取り装置。
【請求項５】
前記各イメージセンサから出力される画像信号を受信して、同一の画像データ生成手段を用いてカラーの画像データと、モノクロの画像データを生成する画像データ生成手段を有することを特徴とする請求項１乃至４のいずれかに記載の画像読取り装置。
【請求項６】
カラーの画像データを生成するものと、モノクロの画像データを生成する同一の画像データ生成手段とプロセッサとを有する画像読取り装置の制御プログラムであって、前記プロセッサに、同一の画像データ生成手段を用いてカラーの画像データと、モノクロの画像データを生成する工程を実行させることを特徴とする制御プログラム。
【請求項７】
請求項６に記載の制御プログラムを格納したことを特徴とする記憶媒体。
【発明の詳細な説明】
【技術分野】
【０００１】
本発明は、同一の画像データ生成手段を用いてカラーの画像データと、モノクロの画像データを生成する画像読取り手段を有する画像読取り装置及びその制御方法、制御プログラム並びに記憶媒体に関するものである。
【背景技術】
【０００２】
従来から、カラー読取りでは3色で読取りを行って、カラー画像生成手段を用いて、カラー画像を生成し、モノクロ読取りでは1色で読取りを行って、モノクロ画像生成手段を用いて、モノクロ画像を生成するものがあった。従来例としては、例えば特許文献１と特許文献２をあげることが出来る。
【特許文献１】特開２０００−１３４４３１号公報
【特許文献２】特開２０００−２１６９５６号公報
【発明の開示】
【発明が解決しようとする課題】
【０００３】
しかしながら、上記従来技術では、カラー画像生成手段とモノクロ画像生成手段と二つの画像生成手段をもたなければならず、コストアップにつながっていた。
【０００４】
本発明は、上記従来技術の課題を解決するためになされたもので、その目的とするところは、一つの画像生成手段でカラー画像とモノクロ画像生成が可能な画像読取り装置、その制御方法、制御プログラム及び記憶媒体を提供することにある。
【課題を解決するための手段】
【０００５】
上記目的を達成するため、同一の画像データ生成手段を用いてカラーの画像データと、モノクロの画像データを生成することによって、処理系統を一つにすることでコストダウンすることが可能になる。
【発明の効果】
【０００６】
以上説明したように、本発明によればカラー読取りとモノクロ読取りの画像処理回路を共通にすることができるため、同一の画像データ生成手段を用いてカラーの画像データと、モノクロの画像データを生成することによって、処理系統を一つにすることでコストダウンすることが可能な画像読取り装置、その制御方法、制御プログラム及び記憶媒体を提供することができる。
【発明を実施するための最良の形態】
【０００７】
以下に、図面を参照して、この発明に好適な実施の形態を例示的に詳しく説明する。但し、この実施の形態に記載されている構成要素の相対配置、表示画面等は、特に特定的な記載がない限りは、この発明の範囲をそれらのみに限定する趣旨のものではない。
【０００８】
まず、本発明に係る画像読取装置の一実施形態として、スキャニング機能、プリンティング機能、及びコピー機能を併せ持つ、ＭＦＰ(Multi Function Peripheral：多機能周辺機器)について説明する。
【０００９】
図１は、本実施の形態としてのＭＦＰの回路構成を示すブロック図である。
【００１０】
ＣＰＵ１０１は、ＭＦＰのシステム制御部であり、ＭＦＰの全体を制御する。
【００１１】
ＲＯＭ１０２は、ＭＦＰのシステム制御プログラムを格納するものである。
【００１２】
なお、ＣＰＵ１０１は、ＲＯＭ１０２に格納されている制御プログラムに基づいて、ＭＦＰに関する各種の動作を実行する。このようなＣＰＵ１０１の制御プログラムは、ＲＯＭ１０２に格納されているものに限らず、フレキシブルディスクやＣＤ−ＲＯＭ等による外部の記憶媒体に記憶されているものでもよく、これを専用の読取装置によって、ＭＦＰのＲＡＭ(例えばＳＲＡＭ１０４)に取り込み、これをＣＰＵ１０１が解読し、実行するようにしてもよい。
【００１３】
プリンタ１０３は、入力された画像データを記録紙に印字するためのもので
ある。
【００１４】
ＳＲＡＭ１０４は、主に、ＭＦＰの登録データ等を格納するものであり、ＤＲＡＭ１０５は、主に、画像データを格納するものである。
【００１５】
イメージプロセッサ１０６は、イメージセンサ１０７によって入力された画像データに各種画像処理を施すものである。イメージセンサ１０７は、原稿上の画像の読取りを行うための接触型読取りセンサ等である。
【００１６】
操作パネル１０８は、装置の状態等を表示するためのディスプレイ１０９を有し、オペレータからの動作指示入力や各種データ登録やディスプレイ１０９を通じて装置の状態を確認するためのものである。
【００１７】
ＰＣ  Ｉ／Ｆ１１０は、ＭＦＰとＰＣ１１１とを接続するインターフェースであり、ＰＣ１１１は、これを介してＭＦＰの各種設定データ変更や各種動作の起動要求を行うことのできるホストコンピュータである。
【００１８】
図２は、本ＭＦＰの操作パネルの構成を示す図である。
【００１９】
電源キー２０１により、本装置の電源のＯＮ／ＯＦＦを行う。
【００２０】
リカバリキー２０２により、本装置のエラー解除を行う。
【００２１】
メモリ使用表示ＬＥＤ２０３が点滅しているときは、本装置がメモリを使用していることを意味している。
【００２２】
エラー表示ＬＥＤ２０４が点滅している時は、本装置がエラー状態であることを意味している。
【００２３】
モード切替キー２０５は、本装置のスタンバイ状態をコピーモードあるいはスキャナーモードに切り替えるためのキーである。
【００２４】
カラーモード表示ＬＥＤ２０６が点灯している時は、本装置がカラー読取モードであることを意味している。
【００２５】
カラー／モノクロ切替キー２０７によって、本装置の読取モードをカラーあるいはモノクロに切り替えることが可能であり、読取モードがカラーのときは、カラーモード表示ＬＥＤ２０６が点灯し、モノクロモードのときはカラーモード表示ＬＥＤ２０６が消灯する。
【００２６】
ストップキー２０８は、本装置の動作を停止させるためのキーである。
【００２７】
スタートキー２０９は、本装置の動作を開始させるためのキーである。
【００２８】
テンキー２１０は、コピー枚数等の数値入力を行うためのキーである。
【００２９】
コピー画質選択キー２１１によって、本装置のコピー画質の切り替えを行うことが可能である。
【００３０】
コピー濃度調整キー２１２によって、本装置のコピー濃度の調整を行うことが可能である。
【００３１】
記録紙サイズ選択キー２１３によって、本装置にセットされている記録紙サイズの設定を行うことが可能である。
【００３２】
コピー倍率設定キー２１４によって、本装置のコピー倍率の設定を行うことが可能である。
【００３３】
セットキー２１５によって、本装置の各種設定項目の設定を決定することが可能である。
【００３４】
メニューキー２１６によって、本装置の各種設定項目をディスプレイ２１７上に表示させることが可能である。
【００３５】
ディスプレイ２１７上に、本装置の状態や設定項目を表示させることが可能である。
【００３６】
図３は本ＭＦＰの画像読取り方式概略構成を示す断面図である。
【００３７】
図のように、本画像読取部は、イメージセンサ３０６を移動させて原稿を読取るフラットベット読取部と、原稿を移動させて読取るＡＤＦ読取り部がある。
【００３８】
フラットベット読取り部に関して白黒基準板３１０は、イメージセンサ３０６のシェーディングデータを生成するための基準板である。白色部と黒色部の２色の部分から構成されており、白色部下でイメージセンサ３０６を点灯あるいは消灯させることにより、各色のシェーディングデータを取得する。
【００３９】
原稿突き当て位置３０９は、原稿台３０７上に正しく原稿を積載するための基準となる原稿の先端を配置するための基準となる突き当て位置である。
【００４０】
圧板３１１は、原稿読取時に外光が入らないようにするための蓋である。内側は白色シートで作られている。
【００４１】
イメージセンサ３０６により、原稿台３０７上に積載された原稿３０８を移動しながら読取る。
【００４２】
原稿台３０７は、透明ガラスによって作られた原稿積載台である。
【００４３】
イメージセンサホームポジション３０５は、装置がスタンバイ状態であるときは、イメージセンサが常に待機している位置である。
【００４４】
自動給紙読取り部に関して、シェーディングデータはフラットベット読取り部と同様に取得する。
【００４５】
原稿セット位置３０１に原稿をセットすると、原稿検知センサ３０２によって原稿がセットされたことを検知する。
【００４６】
原稿検知センサ３０２によって原稿が検知されたら、フラットベット読取り
は行わず、ＡＤＦ読取りを開始する。
【００４７】
イメージセンサ３０６がＡＤＦ読取り位置３０４に移動し、原稿を移動させながら紙パス３０３に排出することによって、ＡＤＦ読取り位置３０４上を原稿が通過した際原稿を読取る。
【００４８】
ＡＤＦ読取りが終了したら、イメージセンサ３０６はイメージセンサホームポジション３０５に戻り、スタンバイ状態になる。
【００４９】
図４は、本ＭＦＰの動作フロー概略を示す図である。
【００５０】
カラー／モノクロ切替キー２０７によって、４０１で本装置の読取モードをカラーあるいはモノクロに切り替えることが可能であり、切り換え後スタートキーが押下され、４０２でカラーモード表示ＬＥＤ２０６が点灯している場合にはカラー読取りを行い、カラーモード表示ＬＥＤ２０６が消灯している場合にはモノクロ読取りを行う。カラー読取りを行う場合には、４０３でＲＧＢのLED各色の調光を行って、LED点灯時間を設定し、４０４でＲＧＢ各色のシェーディングデータと、LEDを消灯し黒のシェーディングデータを取得し、４０５でＲＧＢ3色で読取りを行って、４０６で読み取りバッファにはＲＧＢ3色のそれぞれのデータを格納する。４１１でＲＧＢそれぞれに格納された読取りデータを画像処理回路で画像処理を行う。モノクロ読取りの場合には、４０７でＲＧＢのLEDを3:6:1で点灯させ調光を行って、LED点灯時間を設定し、４０８で白のシェーディングデータと黒のシェーディングデータを取得し、４０９でグレーモード1色で読取りを行って、４１０で読み取りバッファにはＲＧＢ3色の各画素に同一のデータを格納する。ＲＧＢそれぞれに格納された同一の読取りデータはカラーと同様の画像処理回路を用いて画像処理を行う。図５は、本ＭＦＰの読取りデータの流れを示すブロック図である。カラー読取りでは、５０１、５０２でＣＩＳセンサからＲＧＢでデータを読取り、５０３で読取りバッファにはＲＧＢそれぞれのデータを格納する。格納された読取りデータは、５０７でカラー用の画像処理回路を用いて画像処理を行う。モノクロ読取りでは、５０４，５０５でＣＩＳセンサからＲＧＢのＬＥＤ点灯時間を3:6:1で点灯させ、グレー1色でデータを読取り、５０６で読取りバッファには１色で読取ったデータをＲＧＢ3色にそれぞれ同じ値を格納する。格納されたデータは、５０７でカラー用と同じ画像処理回路を用いて画像処理を行う。本実施例では、カラー読取りとモノクロ読取りで、画像データ生成手段として画像処理回路の共通化を行っているが、画像データ生成手段に関しては、装置の機械構造や特性によって異なるため、必ずしもこの限りではない。
【図面の簡単な説明】
【００５１】
【図１】本発明の一実施形態としてのＭＦＰの構成を示すブロック図である。
【図２】本発明の一実施形態としてのＭＦＰ操作パネルの構成を示す図である。
【図３】本発明の一実施形態としてのＭＦＰが持つ画像読取り方式を示す概略断面図である。
【図４】本発明の一実施形態としてのＭＦＰにおける読取り動作を示すフローチャートである。
【図５】本発明の一実施形態としてのＭＦＰが持つ読取りデータの流れの構成を示す図である。
【符号の説明】
【００５２】
１０１  ＣＰＵ
１０２  ＲＯＭ
１０３  ＰＲＩＮＴＥＲ
１０４  ＳＲＡＭ
１０５  ＤＲＡＭ
１０６  ＩＭＡＧＥ  ＰＲＯＣＥＳＳＯＲ
１０７  ＩＭＡＧＥ  ＳＥＮＳＯＲ
１０８  ＯＰＥＲＡＴＩＯＮ  ＰＡＮＥＬ
１０９  ＤＩＳＰＬＡＹ
１１０  ＰＣ  Ｉ／Ｆ
１１１  ＰＣ
【図１】
2007110523.tif 000003
【図２】
2007110523.tif 000004
【図３】
2007110523.tif 000005
【図４】
2007110523.tif 000006
【図５】
2007110523.tif 000007